(57)【要約】      （修正有）【課題】担体充填剤に吸収された変性消泡剤アミノシリコーン／オルガノポリシロキサン液を有する前記消泡剤粉末の提供。【解決手段】式（１）で表されるポリオキシアルキレン基を含む変性アミノシリコーン遅効消泡剤組成物を含む消泡剤粉末、及び担体充填剤に吸収された変性消泡剤アミノシリコーン／オルガノポリシロキサン液を有する前記消泡剤粉末、並びにすすぎサイクルでの非常に優れた消泡効果に適合した、とりわけ生地洗濯におけるランドリー用洗剤配合物中での使用。パーソナルケアの非常に多岐にわたった用途を持つ、洗剤配合物中で使用するための前記消泡剤粉末。消泡剤液中に存在する前記変性アミノシリコーン／オルガノポリシロキサン系の遅効消泡剤化合物の合成法。式（１）：ＸＲ２Ｓｉ（ＯＳｉＡＲ）ｎ（ＯＳｉＲ２）ｍＯＳｉＲ２Ｘ【選択図】なし【特許請求の範囲】
【請求項１】
（１）式ＸＲ2Ｓｉ（ＯＳｉＡＲ）n（ＯＳｉＲ2）mＯＳｉＲ2Ｘ  （Ｉ）
［式中、
Ａは、式−Ｒ1−［ＮＲ2−Ｒ3−］xＮＲ22のアミノ基
又は該アミノ基Ａのアミノのプロトン化形であり、
Ｘは、Ｒ又は式−Ｒ4−（Ｏ−Ｒ5）ｙ−Ｏ−Ｒ6のポリオキシアルキレン基Ｇであり、
Ｒは、炭素原子１〜１８個を有する一価炭化水素基であり、
Ｒ1は、Ｃ1〜Ｃ10−アルキレン基、好ましくは式−ＣＨ2ＣＨ2ＣＨ2−の基であり、
Ｒ2は、水素原子又はＣ1〜Ｃ4−アルキル基、好ましくは水素原子であり、
Ｒ3は、Ｃ1〜Ｃ10−アルキレン基、好ましくは式−ＣＨ2ＣＨ2−の基であり、
Ｒ4は、Ｃ1〜Ｃ10−アルキレン基、好ましくは式−ＣＨ2ＣＨ2ＣＨ2−の基であり、
Ｒ5は、Ｃ1〜Ｃ4−アルキレン基、好ましくは式−ＣＨ2ＣＨ2−又は−ＣＨ2ＣＨ2（ＣＨ3）−の基又はそれらの混合物であり、
Ｒ6は、水素原子又はＣ1〜Ｃ4−アルキル基、好ましくは水素原子又はメチル基、より好ましくは水素原子であり、
ｎは、１〜６の整数、好ましくは１〜３の整数であり、
ｍは、１〜２００の整数、好ましくは１〜８０の整数であり、
ｘは、０又は１であり、かつ
ｙは、５〜２０の整数、好ましくは５〜１２の整数であり、
ただし、基Ｘの平均３０〜６０モル％、好ましくは５０モル％が、ポリオキシアルキレン基Ｇである］の変性アミノシリコーン消泡剤液１０〜３５質量％；及び
（２）炭酸ナトリウム、硫酸ナトリウム、ケイ酸アルミニウム、炭酸カリウム、硫酸カリウム、重炭酸ナトリウム、重炭酸カリウム及びゼオライトから成る群から選択された担体充填剤６５〜９０質量％
を有する消泡剤粉末。
【請求項２】
前記アミノ基（Ａ）が、好ましくは、−（ＣＨ2）3ＮＨ2；−（ＣＨ2）3ＮＨ（ＣＨ2）2ＮＨ2；−（ＣＨ2）3ＮＨＣ6Ｈ11；−（ＣＨ2）3ＮＨ（ＣＨ2）2ＮＨＣ6Ｈ11；−（ＣＨ（ＣＨ3）ＣＨ2ＣＨ2）ＮＨ2；−（ＣＨ（ＣＨ3）ＣＨ2ＣＨ2）ＮＨ（ＣＨ2）ＮＨ2；−（ＣＨ2）ＮＨ2；−（ＣＨ2）ＮＨ（ＣＨ2）2ＮＨ2；−（ＣＨ（ＣＨ3）ＣＨ2ＣＨ2）ＮＨＣ6Ｈ1；−（ＣＨ（ＣＨ3）ＣＨ2ＣＨ2）ＮＨ（ＣＨ2）ＮＨＣ6Ｈ1；−（ＣＨ2）ＮＨＣ6Ｈ11；−（ＣＨ2）ＮＨ（ＣＨ2）2ＮＨＣ6Ｈ11、上記アミノ基のそのアミノのプロトン化形及び／又はアミノのアシル化形から選択されており、かつ最も好ましくは、−（ＣＨ2）3ＮＨ2及び−（ＣＨ2）3ＮＨ（ＣＨ2）2ＮＨ2から選択されている、請求項１記載の消泡剤粉末。
【請求項３】
前記式（Ｉ）の変性シリコーン消泡剤液のアミン価が、すすぎ段階における該液の消泡性質を最適化するのに、前記式（Ｉ）のシリコーン液のポリマー１ｇ当たり０．６ｍｇのＫＯＨ〜２．０ｍｇのＫＯＨのアミン価を有し、かつ最も好ましくは１．０〜１．５のアミン価を有する、請求項１又は２記載の消泡剤粉末。
【請求項４】
前記式（Ｉ）中のポリオキシアルキレン基Ｇが、−（ＣＨ2）3−（ＯＣ2Ｈ4）y−Ｏ−Ｒ6；−（ＣＨ（ＣＨ3）ＣＨ2ＣＨ2）−（ＯＣ2Ｈ4）y−Ｏ−Ｒ6；−（ＣＨ2）3−（ＯＣ3Ｈ6）y−Ｏ−Ｒ6；−（ＣＨ（ＣＨ3）ＣＨ2ＣＨ2）−（ＯＣ3Ｈ6）y−Ｏ−Ｒ6；−ＣＨ2−（ＯＣ2Ｈ4）y−Ｏ−Ｒ6；−ＣＨ2−（ＯＣ2Ｈ4）y−Ｏ−Ｒ6；−ＣＨ2−（ＯＣ3Ｈ6）y−Ｏ−Ｒ6及び−ＣＨ2−（ＯＣ3Ｈ6）y−Ｏ−Ｒ6から選択されており、かつ該ポリオキシアルキレン基Ｇは、好ましくは、−（ＣＨ2）3−（ＯＣ2Ｈ4）y−Ｏ−Ｒ6であり、その際、Ｒ6は、水素原子又はＣ1〜Ｃ4−アルキル基、好ましくは水素原子又はメチル基、より好ましくは水素原子であり、かつｙは、５〜２０の整数、好ましくは５〜１２の整数である、請求項１又は２記載の消泡剤粉末。
【請求項５】
請求項１又は２記載の消泡剤粉末の製造法であって、
次の工程：
（ｉ）前記担体充填剤を１００℃〜１５０℃の温度で攪拌及び乾燥する工程、
（ｉｉ）乾燥した前記担体充填剤を、前記式（Ｉ）の変性アミノシリコーン消泡剤液と１００℃〜１５０℃の温度で混合する工程及び
（ｉｉｉ）冷却し、かつ、そこから前記消泡剤粉末を取得する工程
を有する製造法。
【請求項６】
式ＸＲ2Ｓｉ（ＯＳｉＡＲ）n（ＯＳｉＲ2）mＯＳｉＲ2Ｘ  （Ｉ）
［式中、
Ａは、式−Ｒ1−［ＮＲ2−Ｒ3−］xＮＲ22のアミノ基
又は該アミノ基Ａのアミノのプロトン化形であり、
Ｘは、Ｒ又は式−Ｒ4−（Ｏ−Ｒ5）ｙ−Ｏ−Ｒ6のポリオキシアルキレン基Ｇであり、
Ｒは、炭素原子１〜１８個を有する一価炭化水素基であり、
Ｒ1は、Ｃ1〜Ｃ10−アルキレン基、好ましくは式−ＣＨ2ＣＨ2ＣＨ2−の基であり、
Ｒ2は、水素原子又はＣ1〜Ｃ4−アルキル基、好ましくは水素原子であり、
Ｒ3は、Ｃ1〜Ｃ10−アルキレン基、好ましくは式−ＣＨ2ＣＨ2−の基であり、
Ｒ4は、Ｃ1〜Ｃ10−アルキレン基、好ましくは式−ＣＨ2ＣＨ2ＣＨ2−の基であり、
Ｒ5は、Ｃ1〜Ｃ4−アルキレン基、好ましくは式−ＣＨ2ＣＨ2−又は−ＣＨ2ＣＨ2（ＣＨ3）−の基又はそれらの混合物であり、
Ｒ6は、水素原子又はＣ1〜Ｃ4−アルキル基、好ましくは水素原子又はメチル基、より好ましくは水素原子であり、
ｎは、１〜６の整数、好ましくは１〜３の整数であり、
ｍは、１〜２００の整数、好ましくは１〜８０の整数であり、
ｘは、０又は１であり、かつ
ｙは、５〜２０の整数、好ましくは５〜１２の整数であり、
ただし、基Ｘの平均３０〜６０モル％、好ましくは５０モル％が、ポリオキシアルキレン基Ｇである］を有する、液／粉末系の洗剤配合物中での使用に適合した消泡剤シリコーン液。
【請求項７】
前記アミノ基（Ａ）が、好ましくは、−（ＣＨ2）3ＮＨ2；−（ＣＨ2）3ＮＨ（ＣＨ2）2ＮＨ2；−（ＣＨ2）3ＮＨＣ6Ｈ11；−（ＣＨ2）3ＮＨ（ＣＨ2）2ＮＨＣ6Ｈ11；−（ＣＨ（ＣＨ3）ＣＨ2ＣＨ2）ＮＨ2；−（ＣＨ（ＣＨ3）ＣＨ2ＣＨ2）ＮＨ（ＣＨ2）ＮＨ2；−（ＣＨ2）ＮＨ2；−（ＣＨ2）ＮＨ（ＣＨ2）2ＮＨ2；−（ＣＨ（ＣＨ3）ＣＨ2ＣＨ2）ＮＨＣ6Ｈ11；−（ＣＨ（ＣＨ3）ＣＨ2ＣＨ2）ＮＨ（ＣＨ2）ＮＨＣ6Ｈ11；−（ＣＨ2）ＮＨＣ6Ｈ11；−（ＣＨ2）ＮＨ（ＣＨ2）2ＮＨＣ6Ｈ11、上記アミノ基のそのアミノのプロトン化形及び／又はアミノのアシル化形から選択されており、かつ最も好ましくは、−（ＣＨ2）3ＮＨ2及び−（ＣＨ2）3ＮＨ（ＣＨ2）2ＮＨ2から選択されている、請求項６記載の消泡剤シリコーン液。
【請求項８】
前記式（Ｉ）の変性シリコーン消泡剤液のアミン価が、すすぎ段階における該液の消泡性質を最適化するのに、前記式（Ｉ）のシリコーン液のポリマー１ｇ当たり０．６ｍｇのＫＯＨ〜２．０ｍｇのＫＯＨのアミン価を有し、かつ最も好ましくは１．０〜１．５のアミン価を有する、請求項６又は７記載の消泡剤シリコーン液。
【請求項９】
前記式（Ｉ）中のポリオキシアルキレン基Ｇが、−（ＣＨ2）3−（ＯＣ2Ｈ4）y−Ｏ−Ｒ6；−（ＣＨ（ＣＨ3）ＣＨ2ＣＨ2）−（ＯＣ2Ｈ4）y−Ｏ−Ｒ6；−（ＣＨ2）3−（ＯＣ3Ｈ6）y−Ｏ−Ｒ6；−（ＣＨ（ＣＨ3）ＣＨ2ＣＨ2）−（ＯＣ3Ｈ6）y−Ｏ−Ｒ6；−ＣＨ2−（ＯＣ2Ｈ4）y−Ｏ−Ｒ6；−ＣＨ2−（ＯＣ2Ｈ4）y−Ｏ−Ｒ6；−ＣＨ2−（ＯＣ3Ｈ6）y−Ｏ−Ｒ6及び−ＣＨ2−（ＯＣ3Ｈ6）y−Ｏ−Ｒ6から選択されており、かつ該ポリオキシアルキレン基Ｇは、好ましくは、−（ＣＨ2）3−（ＯＣ2Ｈ4）y−Ｏ−Ｒ6であり、その際、Ｒ6は、水素原子又はＣ1〜Ｃ4−アルキル基、好ましくは水素原子又はメチル基、より好ましくは水素原子であり、かつｙは、５〜２０の整数、好ましくは５〜１２の整数である、請求項６又は７記載の消泡剤シリコーン液。
【請求項１０】
請求項６又は７記載の消泡剤シリコーン液の製造法であって、
（Ｉ）第一の工程で、
（ａ）式ＨＲ2ＳｉＯ−（Ｒ2ＳｉＯ）p−ＳｉＲ2Ｈのα，ω−二水素ジオルガノポリシロキサン、最も好ましくはＨ（ＣＨ3）2ＳｉＯ−（（ＣＨ3）2ＳｉＯ）p−Ｓｉ（ＣＨ3）2Ｈを
（ｂ）式Ｒ4'−（Ｏ−Ｒ5）y−Ｏ−Ｒ6のポリオキシアルキレン化合物、最も好ましくはＣＨ2＝ＣＨ−ＣＨ2−（ＯＣ2Ｈ4）y−Ｏ−Ｈと、
（ｃ）ヒドロシリル化触媒、好ましくは白金触媒
の存在下で反応させ、
（ｄ）任意に、反応を、水分を含まない窒素雰囲気下で、好ましくは６０〜１２０℃で、好ましくは発熱反応に基づく温度を制御するのに適した冷却系を用いて実施し、最も好ましくは、反応は８０〜１００℃で実施し、
（ＩＩ）第二の工程で、
（ｅ）工程（Ｉ）から得られた式ＸＲ2ＳｉＯ−（Ｒ2ＳｉＯ）p−ＳｉＲ2Ｘの生じるヒドロシリル化生成物、最も好ましくはＨ−Ｏ−（Ｃ2Ｈ4Ｏ）y−（ＣＨ2）3−Ｓｉ（ＣＨ3）2Ｏ−（（ＣＨ3）2ＳｉＯ）p−（ＣＨ3）2Ｓｉ−（ＣＨ2）3−（ＯＣ2Ｈ4）y−Ｏ−Ｈ及び
（ｆ）式ＨＯＲ2ＳｉＯ−（Ｒ2ＳｉＯ）s−ＳｉＲ2ＯＨのジオルガノポリシロキサン、最も好ましくはＨＯ−（ＣＨ3）2ＳｉＯ−（（ＣＨ3）2ＳｉＯ）s−（ＣＨ3）2Ｓｉ−ＯＨを
（ｇ）式ＡＳｉＲ（ＯＲ7）2のアミノアルキルシラン、最も好ましくは（ＣＨ3Ｏ）2Ｓｉ（ＣＨ3）−（ＣＨ2）3−ＮＨ（Ｃ2Ｈ4）ＮＨ2と
（ｈ）塩基性触媒、好ましくはカリウムメトキシド又はカリウムメトキシドの存在下
及び
（ｉ）式Ｒ3ＳｉＯ−（Ｒ2ＳｉＯ）z−ＳｉＲ3の鎖末端化オルガノポリシロキサン、最も好ましくは（ＣＨ3）3ＳｉＯ−（（ＣＨ3）2ＳｉＯ）z−Ｓｉ（ＣＨ3）3の存在下で、
８０℃〜１５０℃の温度で反応させ、
次いで、反応（ＩＩ）の後に、
（ＩＩＩ）塩基性触媒（ｈ）を、中和剤（ｊ）、好ましくはリン酸トリオルガノシリル、より好ましくはリン酸トリメチルシリルの添加によって中和すること
［式中、Ａ、Ｘ、Ｒ、Ｒ5、Ｒ6、及びｙは、上記の意味を有し、かつ
Ｒ4'は、末端炭素−炭素二重結合を有するＣ1〜Ｃ10−アルケニル基であり、
Ｒ7は、Ｃ1〜Ｃ4−アルキル基であり、
ｐは、１０〜２５の整数であり、
ｓは、２０〜６０の整数であり、
ｚは、０〜１０の整数である］
を有する、請求項６又は７記載の消泡剤シリコーン液の製造法。
【発明の詳細な説明】
【技術分野】
【０００１】
本発明は、遅効消泡剤組成物を含む消泡剤粉末に関し、とりわけ、担体充填剤に吸収された変性消泡剤アミノシリコーン／オルガノポリシロキサン液を有する該消泡剤粉末の製造に関する。消泡剤粉末は、洗浄サイクルにおける"消泡剤なしの洗剤"と比較してほとんど同様の発泡性質を維持しつつ、すすぎサイクルにおける非常に優れた消泡効果に適合したランドリー用洗剤配合物中で、とりわけ生地洗濯において用いられることができる。本発明はまた、洗剤配合物中で使用するための該消泡剤粉末又は消泡剤液体中に存在する該変性アミノシリコーン／オルガノポリシロキサン系の遅効消泡剤化合物の合成法に関する。
【０００２】
したがって、本発明は、とりわけ、莫大な量の排水を節減するだけでなく、所望の使用及び用途のための大量の貴重な清浄水を保存するのに役立てることに関する。それゆえ、好ましくは、本発明は換言すれば、汚染を低減し、かつ将来の大規模気候災害又は生態学的不均衡から世界を救うことを目標にした、グリーンウォーターバランスの分野にある。
【０００３】
さらにとりわけ、粉末形態又は液形態の変性アミノシリコーン又はオルガノポリシロキサンは、パーソナルケア、とりわけヘアケア、ホームケア、テキスタイルケア及び同種のものの非常に多岐にわたった用途のために容易に用いられることができる。
【０００４】
手洗い洗濯工程においては、水が、バケツ、又は生地を浸す容器若しくは洗濯機内の洗濯槽に汲まれる。その後、所望の量の洗剤が添加され、手で揺すって泡立てられるか、又はマシン内の洗濯槽をしばらく稼働させて泡立てられる。この次に、１０〜３０分間浸すために、汚れた生地が漬け置きされる。浸漬時間後、生地は、手でこすって汚れが落とされるか、又は、機械洗いの場合は、洗浄サイクルが１０〜２０分間行われる。
【０００５】
すすぎのために、汚れた水が排出させられ、かつ生地を絞ることによって余分な水が生地から除去される。したがって、係るそれぞれのすすぎサイクルは、生地の絞りと、新しい水による生地の洗浄とから成る。係るすすぎサイクルが、手洗い洗濯については４〜５回繰り返され、又は、機械の場合は、４〜５回のすすぎサイクルに続けて、最後の脱水前に全ての泡が除去される。
【０００６】
伝統的な考え方という理由で重要なことは、洗浄サイクル手段において泡が少しも立たないことが良好な洗剤を意味しないことである。そのため、全ての洗剤製造業者には、洗浄の間に発泡し、かつ、すすぎの間には少しも発泡しない、係る種類の洗剤のコストと水の節減という共通の要求事項が存在している。
【０００７】
過去、単一すすぎ構想と称される二次的な方法によってこの問題の解決が試みられており、該方法に際しては、すすぎサイクルの間、柔軟仕上げ剤を含有する脱泡剤が用いられ、ここで、柔軟仕上げ剤は、すすぎサイクル時に生地を整え、さらに、残っている全ての泡を消す。この構想は、手洗い洗濯工程の場合にはあまり功を奏しておらず、なぜなら、この類の柔軟仕上げ剤は贅沢であるとみなされ、また手洗い階層の人々は、生地のクリーニングに掛けられる金銭面での制約のために手洗いを用いるからである。
【０００８】
手洗い洗濯又は機械洗濯において使用される通常の洗剤の水と配合物コストの浪費を考慮すると、生地の洗濯に用いられた場合、洗浄サイクルの間に、洗剤のクリーニング性に影響を及ぼすことなく好ましい量の泡立ちをはっきりと生ずるが、すすぎサイクルにおいては泡止め作用も有し、そうして１回又は２回のすすぎで生地を洗濯するのに十分である洗剤配合物が必要とされている。しかしながら、手洗い洗濯及び／又は機械洗濯において、貴重な水の不要な浪費を回避することと、水の不要な浪費から環境を守ることに配慮することとは別に、洗浄サイクルとすすぎサイクルとの両方に好都合であり、そして、布地／生地の洗濯をより便利に、かつユーザーフレンドリーにする、洗剤配合物中での特性を提供することは極めて困難である。水の浪費を回避する効果的な洗濯のために適合した洗浄配合物に関する係る進歩がコスト対効果を伴っていることも重要であり、なぜなら、市場は非常に価格に敏感であり、かつ新しい洗剤の成果はコストにも強く依存するからである。
【０００９】
ＵＳ４６３７８９０は、すすぎサイクルにおいて脱泡剤として作用する洗剤組成物を開示していた。洗剤組成物は、脂肪酸石鹸、第四級アンモニウム塩、及び石鹸水抑制剤のためのシリコーン液を有する石鹸水／発泡制御小球のための組成物を明らかにしていた。該特許においては、小球は、洗浄サイクルにおいて比較的高いｐＨ（ｐＨ９〜１０．５）で溶解し、かつ小球は、高いｐＨで活性ではないことが指摘されている。洗剤がすすぎ水にあまり含まれないすすぎサイクル時のより低いｐＨの構想では、小球が低いｐＨで活性になって石鹸水を抑制する。しかしながら、実施例はいかなる実際の用途も教示しておらず、さらに、洗剤が、手洗い洗濯又は機械を援用した手洗い洗濯において効果的であったのかどうかは明らかではなかった。明細書からは、シリコーン脱泡剤による発泡を抑制する効果が、脂肪酸石鹸と第四級アンモニウム化合物の助けを借りた小球形成に大いに依存していたと理解される。該明細書によれば、通常のシリコーン液（アルキル化ポリシロキサン）が脱泡剤として使用され、ここで、通常のシリコーン脱泡活性は、洗浄サイクルにおけるアルカリ性のｐＨ時の小球の不溶性により制御されていた。
【００１０】
ＵＳ４８９４１１７は、ランドリー系における消泡剤の遅延放出のための凝集される顆粒の組成物を開示していた。それはとりわけ、粉末化された水溶性担体上に吸着されたシリコーン消泡剤を含むランドリー用洗剤組成物に関し、該担体は、担体のための溶剤の存在下で混合することによって、引き続き顆粒形態へと凝集されている変性セルロース担体から選択される。この先行技術は、標準的なシリコーン消泡剤がカプセル化されている一連の顆粒化ランドリー用添加剤を開示していた。これらの種々の顆粒化ランドリー用添加剤は、使用されたセルロースの種類と顆粒のサイズに依存する種々のシリコーン消泡剤放出時間を有する。
【００１１】
係る種類のカプセル化されたランドリー用添加剤は、機械洗いにのみ適しており、手洗い洗濯又は機械を援用した手洗い洗濯の場合には全く適していないことは明確に明らかであり、なぜなら、洗濯の時間は、ユーザー毎に、地域毎に、かつ国毎に変わるものと考えられるからである。
【００１２】
したがって、カプセル化されたシリコーン消泡剤を有するランドリー用添加剤顆粒を有する洗剤組成物が、あるユーザーに受け容れられ得たとしても、別のユーザーの要求には適さない可能性があり、異なる洗浄時間のために、その場合、より長い洗浄時間のために、ユーザーは洗浄サイクルにおいて泡を少しも見ることができないか、又は、より短い洗浄時間のために、より多くの水がすすぎサイクルにおいて使用され、なぜなら、洗濯用の洗剤中で使用される特定の顆粒は、カプセル化されたシリコーンを放出するのに固定された時間を有しているからである。該明細書によれば、脱泡剤として使用されるポリジメチルシロキサンを充填された慣例のシリカが、カプセル化された脱泡剤顆粒を作る。
【００１３】
ＥＰ２５４４９９Ｂ１は、シリコーン脱泡剤組成物の製造方法を開示し、該方法は、オルガノポリシロキサン（１）及び（２）、
（３）シラン又はそれらの部分加水分解縮合物又はシロキサン樹脂、
（４）微細に分割された充填剤、好ましくはシリカ、
（５）反応触媒、好ましくはＫＯＨ、
（６）化合物、例えばアルキレングリコール、多価アルコール、カルボン酸及びそれらのエステル、非イオン性界面活性剤、ポリオキシエチレンアニオン性界面活性剤、ポリエーテル変性シリコーン、非イオン性フッ素化界面活性剤及びＯＨ含有の高分子化合物、例えばヒドロキシエチルセルロース
のブレンドを有する混合物を加熱することを有する。
【００１４】
シリコーン脱泡剤組成物は、トリメチルシリル末端化ポリジメチルシロキサン及びシラノール末端化ポリジメチルシロキサンのブレンドと、ポリオキシエチレン−ポリオキシプロピレンコポリマーと及びシリカとを反応させることによって得られる。
【００１５】
該組成物の脱泡作用は開示されているが、しかし、洗剤組成物中での使用も、それが遅効脱泡剤として、洗浄段階の間の発泡を可能にすることによって、一方で、すすぎ操作の間の発泡を抑制することによって使用できることも記載されていない。
【００１６】
したがって、上記の技術水準から、全ての先行技術は、シリコーン又はシリコーン脱泡剤のカプセル化に依存し、その際、両方の種類の化学物質が強い消泡作用を有していることが明確に明らかである。すすぎサイクルにおける遅効消泡剤又は石鹸水の抑制の作用は、上で議論した他の多くのパラメーターに依存している。それゆえ、係る種類の利用可能な消泡剤の適用は、系統立った洗濯系、例えば機械洗濯においてのみ可能であるものの、手洗い洗濯又は機械を援用した手洗い洗濯においてはたらくことは不可能であり、なぜなら、洗濯の習慣がユーザーによって幅広く異なるからである。他方で、手洗い洗濯又は機械援助の手洗い洗濯において遅効消泡作用又は石鹸水の抑制を有する製品が、全ての自動機械洗濯において明らかにより良好に機能する。
【００１７】
したがって、本発明の基本的な課題は、手洗い用洗濯洗剤又は機械用洗濯洗剤と容易に混ざり合い、洗剤効果に不利な影響を及ぼさず、かつ、すすぎサイクルおいて非常に優れた消泡作用を提供しつつ、洗浄サイクルの間の好ましい発泡性質を有する、担体充填剤と一緒に変性消泡剤アミノシリコーン／オルガノポリシロキサン液を有する消泡剤粉末組成物を開発することである。
【００１８】
本発明の別の課題は、ランドリー用洗剤配合物中で使用されることができ、かつ布地／生地の洗濯のための、手洗い用洗剤又は機械用洗剤の適用において必要とされる莫大な量の新しい水を節減し、かつ貴重な水の浪費を低減する、消泡剤シリコーン液を提供することに関する。
【００１９】
本発明の別の課題は、効果的な洗浄及びすすぎ段階を通じた水の浪費を回避することに関する洗剤配合物中に粉末消泡剤を最小量供与して導入することにより洗剤組成物中で使用されることができる担体充填剤と一緒に変性アミノシリコーン／オルガノポリシロキサン液を有する消泡剤粉末組成物の選択的な提供に関する。
【００２０】
本発明の別の課題は、オルガノポリシロキサン化合物のコストを最適化するために簡単な方法で変性アミノシリコーン／オルガノポリシロキサン系の遅効消泡剤配合物を合成することに関し、これは、最終的な洗剤の配合物コストについて最小限の影響しか及ぼさない。
【００２１】
本発明の更なる別の課題は、洗浄サイクルにおいて好ましい発泡を生じつつ、すすぎの間には非常に優れた消泡効果を有する、洗剤組成物中で使用されることができる消泡剤粉末に関する。
【００２２】
本発明のさらにまた別の課題は、パーソナルケア、とりわけヘアケア、ホームケア、テキスタイルケア及び同種のものの非常に多岐にわたった用途で使用するための液形態又は粉末形態における変性アミノシリコーン／オルガノポリシロキサンに関する。
【００２３】
本発明のさらにまた別の課題は、該洗浄配合物のコスト対効果を上げることに適合した低効率量の該粉末消泡剤組成物を有する洗剤配合物中で使用されることができる消泡剤粉末に関する。本発明の基本的な観点によれば、
（１）式
ＸＲ2Ｓｉ（ＯＳｉＡＲ）n（ＯＳｉＲ2）mＯＳｉＲ2Ｘ  （Ｉ）
［式中、
Ａは、式−Ｒ1−［ＮＲ2−Ｒ3−］xＮＲ22のアミノ基
又は該アミノ基Ａのアミノのプロトン化形であり、
Ｘは、Ｒ又は式−Ｒ4−（Ｏ−Ｒ5）ｙ−Ｏ−Ｒ6のポリオキシアルキレン基Ｇであり、
Ｒは、炭素原子１〜１８個を有する一価炭化水素基であり、
Ｒ1は、Ｃ1〜Ｃ10−アルキレン基、好ましくは式−ＣＨ2ＣＨ2ＣＨ2−の基であり、
Ｒ2は、水素原子又はＣ1〜Ｃ4−アルキル基、好ましくは水素原子であり、
Ｒ3は、Ｃ1〜Ｃ10−アルキレン基、好ましくは式−ＣＨ2ＣＨ2−の基であり、
Ｒ4は、Ｃ1〜Ｃ10−アルキレン基、好ましくは式−ＣＨ2ＣＨ2ＣＨ2−の基であり、
Ｒ5は、Ｃ1〜Ｃ4−アルキレン基、好ましくは式−ＣＨ2ＣＨ2−又は−ＣＨ2ＣＨ2（ＣＨ3）−の基又はそれらの混合物であり、
Ｒ6は、水素原子又はＣ1〜Ｃ4−アルキル基、好ましくは水素原子又はメチル基、より好ましくは水素原子であり、
ｎは、１〜６の整数、好ましくは１〜３の整数であり、
ｍは、１〜２００の整数、好ましくは１〜８０の整数であり、
ｘは、０又は１であり、かつ
ｙは、５〜２０の整数、好ましくは５〜１２の整数であり、
ただし、基Ｘの平均３０〜６０モル％、好ましくは５０モル％が、ポリオキシアルキレン基Ｇである］の変性アミノシリコーン消泡剤液１０〜３５質量％；及び
（２）炭酸ナトリウム、硫酸ナトリウム、ケイ酸アルミニウム、炭酸カリウム、硫酸カリウム、重炭酸ナトリウム、重炭酸カリウム及びゼオライトから成る群から選択された担体充填剤６５〜９０質量％を有する消泡剤粉末が提供される。
【００２４】
本発明の別の観点によれば、
（ｉ）担体充填剤を１００℃〜１５０℃の温度で攪拌及び乾燥する工程、
（ｉｉ）乾燥した担体充填剤を、式（Ｉ）の変性アミノシリコーン消泡剤液と１００℃〜１５０℃の温度で混合する工程及び
（ｉｉｉ）冷却し、かつ消泡剤粉末をそこから取得する工程
を有する、該消泡剤粉末を製造するための方法が提供される。
【００２５】
本発明の更なる別の観点によれば、
式
ＸＲ2Ｓｉ（ＯＳｉＡＲ）n（ＯＳｉＲ2）mＯＳｉＲ2Ｘ  （Ｉ）
［式中、
Ａは、式−Ｒ1−［ＮＲ2−Ｒ3−］xＮＲ22のアミノ基
又は該アミノ基Ａのアミノのプロトン化形であり、
Ｘは、Ｒ又は式−Ｒ4−（Ｏ−Ｒ5）ｙ−Ｏ−Ｒ6のポリオキシアルキレン基Ｇであり、
Ｒは、炭素原子１〜１８個を有する一価炭化水素基であり、
Ｒ1は、Ｃ1〜Ｃ10−アルキレン基、好ましくは式−ＣＨ2ＣＨ2ＣＨ2−の基であり、
Ｒ2は、水素原子又はＣ1〜Ｃ4−アルキル基、好ましくは水素原子であり、
Ｒ3は、Ｃ1〜Ｃ10−アルキレン基、好ましくは式−ＣＨ2ＣＨ2−の基であり、
Ｒ4は、Ｃ1〜Ｃ10−アルキレン基、好ましくは式−ＣＨ2ＣＨ2ＣＨ2−の基であり、
Ｒ5は、Ｃ1〜Ｃ4−アルキレン基、好ましくは式−ＣＨ2ＣＨ2−又は−ＣＨ2ＣＨ2（ＣＨ3）−の基又はそれらの混合物であり、
Ｒ6は、水素原子又はＣ1〜Ｃ4−アルキル基、好ましくは水素原子又はメチル基、より好ましくは水素原子であり、
ｎは、１〜６の整数、好ましくは１〜３の整数であり、
ｍは、１〜２００の整数、好ましくは１〜８０の整数であり、
ｘは、０又は１であり、かつ
ｙは、５〜２０の整数、好ましくは５〜１２の整数であり、
ただし、基Ｘの平均３０〜６０モル％、好ましくは５０モル％が、ポリオキシアルキレン基Ｇである］を有する液／粉末系の洗剤配合物中での使用に適合した消泡剤シリコーン液が提供される。
【００２６】
炭化水素Ｒの例は、アルキル基、例えばメチル基、エチル基、ｎ−プロピル基、イソプロピル基、１−ｎ−ブチル基、２−ｎ−ブチル基、イソブチル基、ｔ−ブチル基、ｎ−ペンチル基、イソペンチル基、ネオペンチル基及びｔ−ペンチル基、ヘキシル基、例えばｎ−ヘキシル基、ヘプチル基、例えばｎ−ヘプチル基、オクチル基、例えばｎ−オクチル基及びイソオクチル基、例えば２，２，４−トリメチルペンチル基、ノニル基、例えばｎ−ノニル基、デシル基、例えばｎ−デシル、ドデシル基、例えばｎ−ドデシル基、及びオクタデシル基、例えばｎ−オクタデシル基；アルケニル基、例えばビニル基及びアリル基；シクロアルキル基、例えばシクロペンチル基、シクロヘキシル基、シクロヘプチル基及びメチルシクロヘキシル基；アリール基、例えばフェニル基、ナフチル基、アントリル基及びフェナントリル基；アルカリール基、例えばｏ−、ｍ−及びｐ−トリル基、キシリル基及びエチルフェニル基；及びアラルキル基、例えばベンジル基及びα−及びβ−フェニルエチル基である。最も好ましいのはメチル基である。
【００２７】
本発明の好ましい観点によれば、変性シリコーン消泡剤液の式（Ｉ）中のアミノ基（Ａ）は、好ましくは、−（ＣＨ2）3ＮＨ2；−（ＣＨ2）3ＮＨ（ＣＨ2）2ＮＨ2；−（ＣＨ2）3ＮＨＣ6Ｈ11；−（ＣＨ2）3ＮＨ（ＣＨ2）2ＮＨＣ6Ｈ11；−（ＣＨ（ＣＨ3）ＣＨ2ＣＨ2）ＮＨ2；−（ＣＨ（ＣＨ3）ＣＨ2ＣＨ2）ＮＨ（ＣＨ2）ＮＨ2；−（ＣＨ2）ＮＨ2；−（ＣＨ2）ＮＨ（ＣＨ2）2ＮＨ2；−（ＣＨ（ＣＨ3）ＣＨ2ＣＨ2）ＮＨＣ6Ｈ1；−（ＣＨ（ＣＨ3）ＣＨ2ＣＨ2）ＮＨ（ＣＨ2）ＮＨＣ6Ｈ1；−（ＣＨ2）ＮＨＣ6Ｈ11；−（ＣＨ2）ＮＨ（ＣＨ2）2ＮＨＣ6Ｈ11；上記アミノ基のそのアミノのプロトン化形及び／又はアミノのアシル化形から選択されており、かつ最も好ましくは、−（ＣＨ2）3ＮＨ2及び−（ＣＨ2）3ＮＨ（ＣＨ2）2ＮＨ2から選択されている。
【００２８】
本発明の別の好ましい観点によれば、式（Ｉ）の該変性シリコーン消泡剤液のアミン価は、すすぎ段階における該液の消泡性質を最適化するために、式（Ｉ）のシリコーン液のポリマー１ｇ当たり０．６ｍｇのＫＯＨ〜ポリマー１ｇ当たり２．０ｍｇのＫＯＨのアミン価を有し、かつ最も好ましくは１．０〜１．５のアミン価を有する。
【００２９】
本発明の更なる別の好ましい観点によれば、変性シリコーン消泡剤液の式（Ｉ）中のポリオキシアルキレン基Ｇは、好ましくは、−（ＣＨ2）3−（ＯＣ2Ｈ4）y−Ｏ−Ｒ6；−（ＣＨ（ＣＨ3）ＣＨ2ＣＨ2）−（ＯＣ2Ｈ4）y−Ｏ−Ｒ6；−（ＣＨ2）3−（ＯＣ3Ｈ6）y−Ｏ−Ｒ6；−（ＣＨ（ＣＨ3）ＣＨ2ＣＨ2）−（ＯＣ3Ｈ6）y−Ｏ−Ｒ6；−ＣＨ2−（ＯＣ2Ｈ4）y−Ｏ−Ｒ6；−ＣＨ2−（ＯＣ2Ｈ4）y−Ｏ−Ｒ6；−ＣＨ2−（ＯＣ3Ｈ6）y−Ｏ−Ｒ6及び−ＣＨ2−（ＯＣ3Ｈ6）y−Ｏ−Ｒ6から選択されており、かつポリオキシアルキレン基Ｇは、最も好ましくは、−（ＣＨ2）3−（ＯＣ2Ｈ4）y−Ｏ−Ｒ6であり、その際、Ｒ6及びｙは、上記の意味を有する。
【００３０】
消泡剤粉末は、
（Ａ）式（Ｉ）の変性アミノシリコーン消泡剤液１０〜３５質量％及び（２）炭酸ナトリウム、硫酸ナトリウム、ケイ酸アルミニウム、炭酸カリウム、硫酸カリウム、重炭酸ナトリウム、重炭酸カリウム及びゼオライトから成る群から選択された担体充填剤６５〜９０質量％を有するランドリー用洗剤組成物の全量に対して０．３〜２．５質量％の量における消泡剤粉末及び
（Ｂ）機械洗濯又は手洗い洗濯のための通常のランドリー用洗剤配合物を有する粉末形態での機械洗濯又は手洗い洗濯のためのランドリー用洗剤組成物中で使用されることができる。
【００３１】
本発明のさらにまた別の観点においては、
（Ｉ）第一の工程で、
（ａ）式ＨＲ2ＳｉＯ−（Ｒ2ＳｉＯ）p−ＳｉＲ2Ｈのα，ω−二水素ジオルガノポリシロキサン、最も好ましくはＨ（ＣＨ3）2ＳｉＯ−（（ＣＨ3）2ＳｉＯ）p−Ｓｉ（ＣＨ3）2Ｈを（ｂ）式Ｒ4'−（Ｏ−Ｒ5）y−Ｏ−Ｒ6のポリオキシアルキレン化合物、最も好ましくはＣＨ2＝ＣＨ−ＣＨ2−（ＯＣ2Ｈ4）y−Ｏ−Ｈと、
（ｃ）ヒドロシリル化触媒、好ましくは白金触媒
の存在下で反応させ、
（ｄ）任意に、反応は、水分を含まない窒素雰囲気下で、好ましくは６０〜１２０℃で、好ましくは発熱反応に基づく温度を制御するのに適した冷却系を用いて実施し、より好ましくは、反応は８０〜１００℃で実施し、
（ＩＩ）第二の工程で、
（ｅ）工程（Ｉ）から得られた式ＸＲ2ＳｉＯ−（Ｒ2ＳｉＯ）p−ＳｉＲ2Ｘの生じるヒドロシリル化生成物、最も好ましくはＨ−Ｏ−（Ｃ2Ｈ4Ｏ）y−（ＣＨ2）3−Ｓｉ（ＣＨ3）2Ｏ−（（ＣＨ3）2ＳｉＯ）p−（ＣＨ3）2Ｓｉ−（ＣＨ2）3−（ＯＣ2Ｈ4）y−Ｏ−Ｈ
及び
（ｆ）式ＨＯＲ2ＳｉＯ−（Ｒ2ＳｉＯ）s−ＳｉＲ2ＯＨのジオルガノポリシロキサン、最も好ましくはＨＯ−（ＣＨ3）2ＳｉＯ−（（ＣＨ3）2ＳｉＯ）s−（ＣＨ3）2Ｓｉ−ＯＨを
（ｇ）式ＡＳｉＲ（ＯＲ7）2のアミノアルキルシラン、最も好ましくは（ＣＨ3Ｏ）2Ｓｉ（ＣＨ3）−（ＣＨ2）3−ＮＨ（Ｃ2Ｈ4）ＮＨ2と
（ｈ）塩基性触媒、好ましくはカリウムメトキシド又はカリウムエトキシドの存在下
及び
（ｉ）式Ｒ3ＳｉＯ−（Ｒ2ＳｉＯ）z−ＳｉＲ3の鎖末端化オルガノポリシロキサン、最も好ましくは（ＣＨ3）3ＳｉＯ−（（ＣＨ3）2ＳｉＯ）z−Ｓｉ（ＣＨ3）3の存在下で、
８０℃〜１５０℃の温度で反応させ、
次いで、反応（ＩＩ）の後、
（ＩＩＩ）塩基性触媒（ｈ）を、中和剤（ｊ）、好ましくはリン酸トリオルガノシリル、より好ましくはリン酸トリメチルシリルの添加によって中和すること
［式中、Ａ、Ｘ、Ｒ、Ｒ5、Ｒ6、及びｙは、上記の意味を有し、かつ
Ｒ4'は、末端炭素−炭素二重結合を有するＣ1〜Ｃ10−アルケニル基であり、
Ｒ7は、Ｃ1〜Ｃ4−アルキル基であり、
ｐは、１０〜２５の整数であり、
ｓは、２０〜６０の整数であり、
ｚは、０〜１０の整数である］
を有する消泡剤シリコーン液を製造するための方法が提供される。
【００３２】
好ましくは、工程（ＩＩＩ）に続けて、
（ＩＶ）１３０〜２００℃の温度により真空下で揮発物を除去するためのストリッピングを行い、かつ該消泡剤シリコーン液をそこから取得する工程が行われる。
【００３３】
好ましくは、工程（Ｉ）では、
式ＨＲ2ＳｉＯ−（Ｒ2ＳｉＯ）p−ＳｉＲ2Ｈのα，ω−二水素ジオルガノポリシロキサン（ａ）４０〜７０モル％、より好ましくは５０〜７０モル％が使用され、かつ
式Ｒ4'−（Ｏ−Ｒ5）y−Ｏ−Ｒ6のポリオキシアルキレン化合物（ｂ）３０〜６０モル％、より好ましくは３０〜５０モル％が使用され、その際、Ｒ、Ｒ4'、Ｒ5、Ｒ6、ｐ及びｙは、上記の意味を有し、かつ、その際、（ａ）及び（ｂ）の合計は１００モル％である。
【００３４】
好ましくは、工程（ＩＩ）では、
工程（Ｉ）から取得された式ＸＲ2ＳｉＯ−（Ｒ2ＳｉＯ）p−ＳｉＲ2Ｘの生じるヒドロシリル化生成物２〜１５質量部、
式ＨＯＲ2ＳｉＯ−（Ｒ2ＳｉＯ）s−ＳｉＲ2ＯＨのジオルガノポリシロキサン６０〜９０質量部、
式ＡＳｉＲ（ＯＲ7）2のアミノアルキルシラン（ｇ）の８〜２０質量部、
塩基性触媒（ｈ）０．０１〜２．０質量部及び式Ｒ3ＳｉＯ−（Ｒ2ＳｉＯ）z−ＳｉＲ3の鎖末端化オルガノポリシロキサン（ｊ）０．１〜５質量部が使用され、その際、Ｒ、Ｒ7、Ａ、Ｘ、ｐ、ｓ及びｚは、上記の意味を有する。
【００３５】
式（Ｉ）中のアミノ基Ａは、酸を変性アミノシリコーン消泡剤液に添加することによって、部分的に又は完全にプロトン化されていてよく、その際、アミノ基の塩の形態が得られる。
【００３６】
酸の例は、直鎖状又は分枝鎖状であってよい炭素原子３〜１８個を有するカルボン酸、例えばギ酸、酢酸、プロピオン酸、酪酸、ピバル酸、ソルビン酸、安息香酸、サリチル酸である。
【００３７】
酸は、好ましくは、式（Ｉ）のシリコーン消泡剤液中のアミノ基Ａ１モル当たり０．１〜２．０モルの量で使用される。
【００３８】
式−Ｒ1−［ＮＲ2−Ｒ3−］xＮＨ+Ｒ22  Ｚ-又は−Ｒ1−［ＮＨ+Ｒ2−Ｒ3−］xＮＨ+Ｒ22  （ｘ＋１）  Ｚ-
［式中、Ｚ-は、Ｎ+に対するアニオン、好ましくは相応する酸のアニオン、例えばカルボン酸アニオン、例えば酢酸アニオン、
かつＲ1、Ｒ2、Ｒ3及びｘは、上記の意味を有する］のプロトン化されたアミノ基Ａ'が得られることができる。
【００３９】
上で検討したように、本発明は、遅効消泡剤組成物を含む消泡剤粉末に関し、とりわけ、担体充填剤に吸収された変性消泡剤アミノシリコーン／オルガノポリシロキサン液を有する該消泡剤粉末の製造に関し、これは、洗浄サイクルにおいて"消泡剤なしの洗剤"と比較してほぼ同じ発泡性質を維持しつつ、すすぎサイクルにおける非常に優れた消泡効果に適合した、とりわけ生地洗濯におけるランドリー用洗剤配合物中で使用されることができる。
【００４０】
有利には、遅効脱泡剤組成物を含む該洗剤組成物は、洗浄サイクルにおいて好ましい発泡効果を有しつつ、すすぎサイクルにおいては非常に優れた消泡効果を有することが見出された。
【００４１】
本発明はまた、洗剤配合物中で使用するための該消泡剤粉末中に存在する該変性アミノシリコーン／オルガノポリシロキサン系の遅効消泡剤化合物の合成法に関し、その際、該シリコーン化合物が、洗浄サイクルにおける該洗剤配合物の好ましい現場での発泡特性を生むが、一方で、すすぎサイクルにおいては消泡剤として作用する。
【００４２】
本発明によれば、変性シリコーン液／オルガノポリシロキサンを有する粉末シリコーン消泡剤の性能は、洗浄サイクルにおいて好ましい発泡量を維持しつつ、すすぎサイクルにおいては消泡剤としてその役目を司る独特のメカニズムによって確認される。
【００４３】
効果的な洗剤組成物は、アニオン性界面活性剤、とりわけアルキルベンゼンスルホネート及びアルキルスルフェート界面活性剤を有する。生地の外見およびクリーニングのために、ランドリー用洗剤が、とりわけ多数のクリーニングサイクル後の係る生地の外見及びクリーニングを改善するのに十分な量のセルロース酵素を含有することが有益であることも判明している。しかし、このアニオン性界面活性剤は、クリーニングのために重要であり、たとえ少量でも、洗浄において実質的な泡を生む安価な源である。ランドリー用洗剤配合物の洗剤効果を改善するために、錯体リン酸塩、非イオン性界面活性剤、ソープヌードル、様々の無機塩及び他の添加剤、洗浄効果を最適化するために使用されるもの等の様々の他の化学物質が使用される。
【００４４】
洗剤粉末中での主たる発泡成分はアニオン性界面活性剤である。本発明によれば、粉末シリコーン消泡剤を含有するランドリー用洗剤が水に溶解すると、アニオン性界面活性剤のために莫大な量の泡が生まれ、かつ溶液中での多量の泡の存在のために変性シリコーン液のアミノ基とアニオン性界面活性剤との間で一切の相互作用は起こらない。洗濯生地は洗浄サイクルにおいて該溶液に接するとすぐに、変性アミノシリコーン液が繊維内部に、生地に対するその高い親和性のために、一方で、機械洗濯における洗浄サイクルの間に生じる多量の泡又は該生地内に浸透されるアミノシリコーン液で浸した後に手洗い洗浄において生地をこする間に生じる多量の泡のために浸透し、アニオン性界面活性剤は、変性シリコーンのアミノ基に向かって相互作用し、塩を形成することはできない。
【００４５】
それゆえ、プレ洗浄を通じた又はポスト洗浄における洗剤の発泡性質は変化しない。すすぎサイクルにおいて、生地からの残りの洗剤は、生地を絞った後に新しい水に移される。それゆえ、すすぎ液の泡の密度が、溶液中に存在する洗剤の量がより少ないために著しく低下し、それゆえに、アニオン性界面活性剤は、液中の泡がより少ないために、生地に浸透及び付着した変性アミノシリコーンと容易に反応して水溶性のシリコーン塩を形成し、これは、アニオン性界面活性剤との中性塩の形成のために即座にすすぎ液に移される。結果として、したがって、アニオン性界面活性剤はシリコーンの塩に変わり、かつ、それによってアニオン性界面活性剤はその発泡性質を失い、それゆえに、すすぎ泡におけるフォームが相当の量で除かれる。特に、手洗い洗濯の場合、１〜２回のすすぎ後に少しの泡も観察されない。
【００４６】
したがって、本発明によれば、消泡剤粉末が、ランドリー用洗剤組成物中で使用される場合、すすぎサイクルにおける水を節減するだけでなく、生地上に粘着した残りのシリコーンのために生地への良好な調節効果も提供することが観察される。
【００４７】
本発明によれば、手洗いによるか又は機械洗濯による生地洗濯の間のすすぎサイクルにおいて水を節減する目的でランドリー用洗剤液体中に直接導入された変性アミノシリコーン／オルガノポリシロキサン液が、同様に水を節減する目的に適う消泡剤に基づく該新規の粉末を含有するランドリー用粉末洗剤にも類似していることが観察される。
【００４８】
本発明によれば、新規の変性アミノシリコーン又はオルガノポリシロキサン液／粉末が、パーソナルケア、すなわち、より具体的にはヘアケア用途において、ヘアすすぎの間の水の節約のために使用されることができる。
【００４９】
本発明によれば、粉末形態又は液形態における変性アミノシリコーン又はオルガノポリシロキサンが、パーソナルケア、すなわち、より具体的にはヘアケア用途及びボディ洗浄において、ヘア／ボディ洗浄の間の水の節約のために使用されることができるというのも事実である。
【００５０】
本発明によれば、粉末形態又は液形態における変性アミノシリコーン又はオルガノポリシロキサンが、特に水を節約するために家庭用ランドリー及び産業用ランドリー用途に加えてフロアクリーナー、洗面所クリーナーといった種々のホームケア用途において使用されることができることも別の可能性としてある。
【００５１】
本発明の詳細、その性質及び目的を、下記により詳細に、以下の非限定的な例と関連付けて説明する。
【００５２】
例：
工程−Ｉ
手洗い洗浄用の洗剤配合物：消泡剤粉末を用いない例
直鎖状アルキルベンゼンスルホン酸塩＝１４．００部
トリポリリン酸ナトリウム＝２６．４０部
ソーダ灰＝４７．５５部
硫酸ナトリウム＝４．４０部
過ホウ酸ナトリウム＝６．８５部
テトラアセチルエチレンジアミン＝０．５部
香料＝０．３０部
【００５３】
例−１
工程−ＩＩ：ポリマー合成
１０リットルの反応器中に、α，ω−ヒドロキシル末端化ポリジメチルシロキサン５６４８ｇ（８０ｍＰａ・ｓ）、３８モル％のポリオキシエチレン基Ｇを有する約１８００のポリマー分子量を有する、プロピレンスペーサーが介在するポリジメチルシリコーンで末端化されたα，ω−ポリエチレングリコール（１０個のＥＯ）２５０ｇ及びγ−アミノエチルアミノプロピルメチルジメトキシシラン７８２ｇを移した。反応器を閉じ、そして窒素を３０分間パージした。反応器は、ストリッピング並びに還流のために使用することができる、攪拌器、加熱器／垂直凝縮器を有する冷却器を装備していた。受け器は、凝縮器の底部に接続されていた。反応器は、窒素雰囲気下又は真空下又は圧力下で作業するための設備も有していた。反応を所望の温度で実施することができるように、正確な温度制御系も反応器に取り付けた。３０分の窒素パージ後、反応器の材料温度を窒素パージ下で１３０℃に上昇させた。４０％の活性アルコールカリ溶液１ｇを添加し、そして反応を１時間実施した。同じ触媒の添加を２回繰り返し、そして毎回反応を１時間実施した。次いで、粘度１０ｍＰａ・ｓを有するトリメチルシロキシ末端化ジメチルポリシロキサン４０ｇを添加し、そして反応を２時間継続した。再びＫＯＨ溶液２ｇを添加し、そして反応をさらに２時間継続し、この液をシリルホスフェート５．０ｇで中和した。窒素パージを中断し、そして全ての揮発物を除去するために蒸留を３００〜５００ｍｍＨｇの真空下で実施した。
【００５４】
蒸留が終了した後、この液を真空下で室温に冷却した。２５℃で１０００ｍＰａ・ｓの粘度及びアミン価１．２４を有し、かつポリオキシエチレン基Ｇ  ３．３モル％を有する清澄なα，ω−グリコール末端化アミノポリジメチルシロキサンを取得した。式（Ｉ）によるアミノポリジメチルシロキサンの基Ｘ、すなわち末端基の平均して５０モル％がポリオキシエチレン基Ｇであり、かつ基Ｘの５０モル％が基Ｒ＝メチル基である。
【００５５】
工程−ＩＩＩ：消泡剤化合物調製
使用した装置：片側入口型の高速分散装置を有し、呼び圧力高温水／低温水、加熱及び冷却のために適切に被覆された、１０リットル容量のプローシェアステンレス鋼ミキサー。窒素パージした全てのシャフトグランド。積込用ホッパに取り付けられた適した集塵装置及び標準排液設備。
【００５６】
１．１２５ミクロンの粒径を有する商業用グレードの炭酸ナトリウム粉末３．５ｋｇを上記のミキサーに取り入れる。
２．窒素下で攪拌し、かつ１３０℃に加熱し、粉末を乾燥させる。
３．粉末を約１時間乾燥させた後、計量供給ポンプによって、アミノシリコーン液体（アミン価１．２４及び粘度１０００ｍＰａ・ｓを有するＰＥＧ−ジメチルシロキシ基でブロック化したもの）を添加し始める。攪拌された材料への計量分配が一定になるようにする。
４．上記液体１．５ｋｇの添加を、温度を１３０℃に保ちながら、約３時間で行う。
５．液体の添加後に、さらに１時間混合し続ける。
６．排出前に粉末を４０℃に冷却する。
【００５７】
工程−ＩＶ：手洗い洗浄用の洗剤配合物：消泡剤粉末を用いた例
直鎖状アルキルベンゼンスルホン酸塩＝１４．００部
トリポリリン酸ナトリウム＝２６．４０部
ソーダ灰＝４７．０５部
硫酸ナトリウム＝４．４０部
過ホウ酸ナトリウム＝６．８５部
テトラアセチルエチレンジアミン＝０．５部
香料＝０．３０部
消泡剤粉末（工程ＩＩＩで製造したもの）＝０．５部
【００５８】
工程−Ｖ：機械洗浄用の洗剤配合物：本発明の消泡剤粉末を用いない例
直鎖状アルキルベンゼンスルホン酸塩＝１０．００部
石鹸＝１．２５部
ラウリルアルコール（７個のＥＯ）＝２．００部
トリポリリン酸ナトリウム＝２６．４０部
ソーダ灰＝４７．９部
硫酸ナトリウム＝４．４０部
酵素プロテアーゼ＝０．４０部
過ホウ酸ナトリウム＝６．８５部
テトラアセチルエチレンジアミン＝０．５部
香料＝０．３０部
【００５９】
工程−ＶＩ：機械洗浄用の洗剤配合物：本発明の消泡剤粉末を用いた例
直鎖状アルキルベンゼンスルホン酸塩＝１０．００部
石鹸＝１．２５部
ラウリルアルコール（７個のＥＯ）＝２．００部
トリポリリン酸ナトリウム＝２６．４０部
ソーダ灰＝４７．４０部
硫酸ナトリウム＝４．４０部
酵素プロテアーゼ＝０．４０部
過ホウ酸ナトリウム＝６．８５部
テトラアセチルエチレンジアミン＝０．５部
香料＝０．３０部
消泡剤粉末（工程ＩＩＩで製造したもの）＝０．５部
【００６０】
工程ＶＩＩ：性能評価（手洗い洗濯）
バケツ内での手洗い洗濯による洗剤の評価のために使用したプロトコルは以下の通りである。
ａ．  ２４°ｆＨの硬水を使用した
ｂ．  生地と溶液との比は１：１０であった
ｃ．  ４ｇｐｌの洗剤を使用した（ｇｐｌ＝グラム毎リットル）
ｄ．  ２０秒間泡立て、そして生地をバケツ水に沈めた
ｅ．  洗浄サイクルを１５分又は３０分間継続し、５分毎に又は１０分間隔で泡の高さを測定した
ｆ．  ５０質量％ピックアップで生地を絞った
ｇ．  それぞれの場合において、新たな２４°ｆＨの硬水において、すすぎ水１部と新たな水７部との割合ですすぎを行い、次いで、５  泡立ちを見る；５０質量％ピックアップで生地を絞り、そしてバケツ内で泡の高さを測定した。
【００６１】
工程−ＶＩＩＩ：性能評価（機械洗濯）
上部装荷式の自動機械中での洗剤の評価のために使用したプロトコル
ａ．  ２４°ｆＨの硬水を使用した
ｂ．  生地と溶液との比は１：１０であった
ｃ．  ４ｇｐｌの洗剤を使用した（ｇｐｌ＝グラム毎リットル）
ｄ．  洗浄サイクルを１５分又は３０分間継続した。洗浄溶液の排出直前に洗浄機械の上部フタを開き（上部フタが開くとすぐに、運転中に自動的にｍ／ｃ停止）、そして生地が洗浄液５０％を保持するように絞って取り出した。生地を取り出した後、泡の高さを測定する。
ｅ．  上部フタを閉じ、機械を運転させた。機械が洗浄液を排出したらすぐに、機械の上部フタを開け、生地を機械に移した。機械の上部フタを閉じ、そして即座に機械をすすぎサイクルのために運転させた。１回目のすすぎ液の排出直前に洗浄機械の上部フタを開く。生地が洗液５０％となるように絞ることによって取り出した。生地を取り出した後、泡の高さを測定し、そして１回目の泡の高さとして記録した。
ｆ．上部フタを閉じ、そして２回目、３回目及び４回目のすすぎの泡の高さの測定のために工程"f"を続けて行った。
【００６２】
【表１】
2018047447.tif 000002
【００６３】
【表２】
2018047447.tif 000003
【００６４】
上記の表Ｉ及びＩＩより、実験の工程ＩＶにおいて製造された洗剤の工程ＩＩでの適用結果は、０．５％の本発明の遅効消泡剤化合物を含有する洗剤Ｖが、すすぎサイクル及び洗浄サイクル（そこでは、工程ＩＶの洗剤と工程Ｉで作った洗剤の同等の好ましい泡の高さが存在していた）において従来の洗剤と比較して極めて良好に性能を発揮するという事実をはっきり示していることがわかる。
【００６５】
表Ｉ及びＩＩからはまた、実験において製造された遅効消泡剤粉末が、洗浄サイクルにおいて好ましい発泡性質を示し、かつ、すすぎの希釈段階で、泡が少ないために、アニオン性界面活性剤が生地により素早く浸透し、かつ生地内のシリコーンのアミノ基と反応することがはっきり分かる。それゆえ、アニオン性界面活性剤は発泡特性を失い、そして水相に移る。他方で、洗浄サイクルにおいては、アニオン性界面活性剤は、多量の泡のために、それ自体シリコーンポリマーのアミノ基に付着するのに十分なだけ浸透し得ず、それゆえ、手洗い洗濯又は機械洗濯いずれの洗浄サイクルを通じても、泡についてのいかなる変化も観察されない。
【００６６】
それゆえ、本発明によれば、シリコーン分子の変性及び洗剤配合物中での係る変性分子、例えば変性アミノシリコーン／オルガノポリシロキサンの使用は、人によって、地域によって、国によって異なる洗濯習慣の考慮の下で、世界的に全てのユーザーに全体的に受け入れられることができる。なおその上に、我々は、実験から、本発明による新規に開発された遅効消泡剤化合物が、０．５％の供与量で作用することを観察し、このことは、洗剤配合物のコストにあまり影響を及ぼさず、最も重要なことは、洗剤製造業者が、製品コストを上げずに全体の洗剤消費者に利益をもたらす一助となる。
【００６７】
したがって、本発明の手法によって、手洗い洗濯及び／又は機械洗濯及び同種のものにおいて、貴重な水の不要な浪費を回避し、かつ水の不要な浪費から環境を守ることに配慮することとは別に、洗浄サイクルとすすぎサイクルとの両方に好都合であり、かつ布地／生地の洗濯をより便利に、かつユーザーフレンドリーにする、洗剤配合物及び同種のものを提供することが可能になる。
【外国語明細書】
2018047447000001.pdf